(57)【要約】【課題】  実装領域の面積の縮小化を図ると共に、放射利得を向上させうるアンテナを提供する。【解決手段】  給電ライン１１０の平行部分１１０ａは、チップアンテナ１０６の長手方向と平行になるように配置されている。その平行部分１１０ａは、実装領域１０８の外に配置され、実装領域１０８の境界線に、平行部分１１０ａの側端が接するように配置されている。【選択図】  図１
2005079769.tif 000002
【特許請求の範囲】
【請求項１】
誘電体基板と、
該誘電体基板の裏面または内部に、特定領域を除いて形成される接地領域と、
前記誘電体基板の表面のうち、前記特定領域に対応する領域を実装領域として、該実装領域内に形成されるアンテナエレメントと、
前記誘電体基板の表面に形成されると共に、前記アンテナエレメントと接続され、該アンテナエレメントに電力を供給する給電ラインと、
を備え、
前記給電ラインは、前記アンテナエレメントの長手方向にほぼ平行で、前記実装領域の境界線の近傍に配置される平行部分を含むことを特徴とするアンテナ。
【請求項２】
請求項１に記載のアンテナにおいて、
前記給電ラインの前記平行部分は、該平行部分におけるアンテナエレメント側の側端と前記実装領域の境界線との間の距離が、前記アンテナエレメントから遠ざかる向きを正として−１ｍｍ以上２ｍｍ以下の範囲となるように、配置されていることを特徴とするアンテナ。
【請求項３】
請求項１に記載のアンテナにおいて、
前記給電ラインの前記平行部分は、そのライン長が８ｍｍ以上１６ｍｍ以下の範囲となるように、構成されていることを特徴とするアンテナ。
【請求項４】
請求項１に記載のアンテナにおいて、
前記給電ラインの前記平行部分は、該平行部分におけるアンテナエレメント側の側端と前記アンテナエレメントの長手方向とのなす角が、前記平行部分の前記側端が前記アンテナエレメントの先端部では遠ざかり、前記アンテナエレメントの給電部では近づく向きを正として−５゜以上１５゜以下の範囲となるように、配置されていることを特徴とするアンテナ。
【請求項５】
請求項１に記載のアンテナにおいて、
前記給電ラインの前記平行部分は、そのライン幅が１ｍｍ以上２ｍｍ以下の範囲となるように、構成されていることを特徴とするアンテナ。
【発明の詳細な説明】
【技術分野】
【０００１】
本発明は、携帯電話などの無線通信機器に用いて好適なアンテナに関するものである。
【背景技術】
【０００２】
セラミック等からなる誘電体チップの上に放射パターンを形成したチップアンテナをプリント基板の表面に載置してモノポールアンテナを形成する場合、プリント基板の表面のうち、プリント基板の裏面または内部に形成される接地領域とは重ならない領域を実装領域として、その実装領域内に、チップアンテナを載置するようにしている。
【０００３】
このように構成されたアンテナを携帯電話等に用いる場合、近年における携帯電話等の部品実装の高密度化に伴い、上記実装領域の面積の縮小化が求められている。
【０００４】
そこで、従来では、図１４に示すように、チップアンテナ６を、その長手方向がプリント基板２の長手方向と一致するように、縦向きに配置していたのを（図１４（ａ））、実装領域８の面積の縮小化を図るために、チップアンテナ６の長手方向がプリント基板２の長手方向に直交するように、横向きに配置するようにしていた（図１４（ｂ））。あるいは、実装領域８の面積をさらに削って縮小するようにしていた（図１４（ｃ））。なお、このとき、チップアンテナ６に電力を供給するマイクロストリップの給電ライン１０は、プリント基板２の長手方向（言い換えれば、チップアンテナ６の長手方向と直交する方向）に沿って、直線状に引かれている。
【０００５】
このようなプリント基板の表面に実装される従来のアンテナとしては、例えば、下記の特許文献１に記載のものが知られている。
【０００６】
【特許文献１】特開２００３−１２４７２６号公報
【発明の開示】
【発明が解決しようとする課題】
【０００７】
しかしながら、図１４で述べたように、実装領域８の面積を縮小していくと、チップアンテナ６を縦向きに配置した場合（図１４（ａ））、横向きに配置した場合（図１４（ｂ））、実装領域８の面積をさらに縮小した場合（図１４（ｃ））の順で、供給電力に対する反射が大きくなっていくため、帯域幅が狭くなったり，放射利得が低下してしまうという問題があった。
【０００８】
これは、実装領域８の面積を縮小していくと、（言い換えれば、プリント基板２の裏面または内部に形成される接地領域４（図１４のハッチング部分）の面積を拡大していくと、）放射体であるチップアンテナ６において、接地領域４に近接する部分が多くなって、放射特性に対する影響が増すことに起因するものと考えられる。
【０００９】
従って、本発明の目的は、上記した従来技術の問題点を解決し、実装領域の面積の縮小化を図ると共に、放射利得を向上させうるアンテナを提供することにある。
【課題を解決するための手段】
【００１０】
上記した目的の少なくとも一部を達成するために、本発明のアンテナは、
誘電体基板と、
該誘電体基板の裏面または内部に、特定領域を除いて形成される接地領域と、
前記誘電体基板の表面のうち、前記特定領域に対応する領域を実装領域として、該実装領域内に形成されるアンテナエレメントと、
前記誘電体基板の表面に形成されると共に、前記アンテナエレメントと接続され、該アンテナエレメントに電力を供給する給電ラインと、
を備え、
前記給電ラインは、前記アンテナエレメントの長手方向にほぼ平行で、前記実装領域の境界線の近傍に配置される平行部分を含むことを要旨とする。
【００１１】
このように、本発明のアンテナにおいては、前記給電ラインの平行部分は、その配置されている位置によっては、放射体の機能を持つことになり、結果的にアンテナの通信波長を長くする、すなわち、共振周波数を低周波化する。
【００１２】
また、前記給電ラインの前記平行部分は、前記接地領域の境界線の近傍で、ある程度の長さを有しているため、通常の給電ラインに比較して、インピーダンスも高くなっている。従って、前記給電ラインの前記平行部分は、アンテナエレメントとのインピーダンス整合を図る機能を果たす。
【００１３】
さらに、前記給電ラインの前記平行部分は、前記接地領域の境界線の近傍に存在するため、アンテナエレメントに流れる電流に対する、接地側へのイメージ電流は、接地領域の縁に流れやすくなり、放射がし易い構造となっている。
【００１４】
従って、本発明のアンテナによれば、実装領域の面積の縮小化を図ることができ、しかも、リターンロスを低減して、放射利得を向上させることができる。
【００１５】
本発明のアンテナにおいて、前記アンテナエレメントは、その長手方向が前記誘電体基板の長手方向に直交するように、横向きに配置されていることが好ましい。このように配置することにより、実装領域の面積の縮小化を図ることができる。
【００１６】
前記アンテナエレメントや前記給電ラインは、導体により形成される。誘電体基板がセラミック基板の場合には、導体は、銀ペーストや銅ペーストを焼き付けることで形成することができる。誘電体基板が樹脂基板の場合には、導体は、フォトリソグラフィ技術を用いて銅箔をエッチングして形成したり、銅メッキにより形成することができる。
【００１７】
本発明のアンテナにおいて、前記アンテナエレメントは、チップアンテナで構成するようにしてもよい。また、誘電体基板の実装領域に放射電極として機能する配線パターンを形成してアンテナエレメントを構成するようにしてもよい。
【００１８】
本発明のアンテナにおいて、前記給電ラインの前記平行部分は、該平行部分におけるアンテナエレメント側の側端と前記実装領域の境界線との間の距離が、前記アンテナエレメントから遠ざかる向きを正として−１ｍｍ以上２ｍｍ以下の範囲となるように、配置されていることが好ましい。
【００１９】
本発明のアンテナにおいて、前記給電ラインの前記平行部分は、そのライン長が８ｍｍ以上１６ｍｍ以下の範囲となるように、構成されていることが好ましい。
【００２０】
本発明のアンテナにおいて、前記給電ラインの前記平行部分は、該平行部分におけるアンテナエレメント側の側端と前記アンテナエレメントの長手方向とのなす角が、前記平行部分の前記側端が前記アンテナエレメントの先端部では遠ざかり、前記アンテナエレメントの給電部では近づく向きを正として−５゜以上１５゜以下の範囲となるように、配置されていることが好ましい。
【００２１】
本発明のアンテナにおいて、前記給電ラインの前記平行部分は、そのライン幅が１ｍｍ以上２ｍｍ以下の範囲となるように、構成されていることが好ましい。
【００２２】
給電ラインの平行部分に関する各種パラメータを、上記の範囲に設定することによって、上記した本発明の効果を十分奏することができる。
【発明を実施するための最良の形態】
【００２３】
以下、本発明の実施の形態を実施例に基づいて以下の順序で説明する。
Ａ．第１の実施例：
Ｂ．第２の実施例：
Ｃ．アンテナ特性の比較：
Ｄ．変形例：
【００２４】
Ａ．第１の実施例：
図１は本発明の第１の実施例としてのアンテナを示す平面図である。図１において、（ａ）は本実施例のアンテナＡｆの構成を、（ｂ）は本実施例のアンテナＡｆの各寸法を、それぞれ示している。なお、以下の全ての実施例については、基板の厚みは全て１．０ｍｍであり、また、図示された全ての寸法の単位はｍｍである。
【００２５】
図１に示すように、本実施例のアンテナＡｆは、例えば、携帯電話などに用いられ、プリント基板１０２の表面にアンテナエレメントであるチップアンテナ１０６を載置して形成されるモノポールアンテナである。
【００２６】
プリント基板１０２は、ガラスエポキシ基板から成り、その裏面または内部には、銅張りで構成された接地領域１０４が形成されている。接地領域１０４は、プリント基板１０２の一隅が切り欠いてあり、その切欠部分に対応する表面の部分が、チップアンテナ１０６を配置するための実装領域１０８となっている。
【００２７】
プリント基板１０２の表面には、銅パターンで構成された給電ライン１１０およびパッド１１２が形成されている。このうち、給電ライン１１０の一方の端部と、パッド１１２は、それぞれ、実装領域１０８に形成されている。
【００２８】
一方、アンテナエレメントであるチップアンテナ１０６は、アルミナから成り、その表面には、銀から成るアンテナパターンが形成されている。このアンテナパターンは、線状素子であればよい。従って、ミアンダでも、ベタパターンでもよく、形状は問わない。
【００２９】
チップアンテナ１０６は、プリント基板１０２の表面における実装領域１０８に載置され、実装領域１０８内において、給電ライン１１０の一端１１０ｄおよびパッド１１２にそれぞれ半田付けにて接続されて固定される。このとき、チップアンテナ１０６は、その長手方向がプリント基板１０２の長手方向に直交するように、横向きに配置される。
【００３０】
また、給電ライン１１０の他端１１０ｅは、直接、また、種々の回路を介して、送信アンプに接続される。
【００３１】
なお、前述の図１４では、接地領域にハッチングを施していたが、図１では、図を見やすくするために、接地領域１０４にはハッチングを施していない。これについては、以後の図でも同様である。
【００３２】
一方、図２は図１の実施例に対する比較例としての従来のアンテナを示す平面図である。
【００３３】
さて、図２に示す従来のアンテナＡと比較すれば、明らかなように、本実施例のアンテナＡｆの特徴は、図１に示すごとく、給電ライン１１０の一部分１１０ａが、チップアンテナ１０６の長手方向と平行になるように配置されている点である。しかも、その部分（以下、平行部分という）１１０ａが、実装領域１０８の外（すなわち、接地領域１０４に対応する表面の領域）に配置され、実装領域１０８の境界線（言い換えれば、接地領域１０４の境界線）に、平行部分１１０ａの側端（チップアンテナ１０６側の側端）が接するように配置されている点である。
【００３４】
このように、給電ライン１１０の平行部分１１０ａは、その配置されている位置に起因して、放射体の機能を持つことになり、アンテナＡｆの通信波長を長くする、すなわち、共振周波数を低周波化する。
【００３５】
また、平行部分１１０ａは、接地領域１０４の境界上で、ある程度の長さを有しているため、通常の給電ラインに比較して、インピーダンスも高くなっている。従って、その平行部分１１０ａは、チップアンテナ１０６とのインピーダンス整合を図る機能を果たす。
【００３６】
さらに、平行部分１１０ａは、接地領域１０４の境界上に存在するため、チップアンテナ１０６の線状素子に流れる電流に対する、接地側へのイメージ電流は、接地領域１０４の縁に流れやすくなり、放射がし易い構造となっている。
【００３７】
なお、給電ライン１１０のうち、平行部分１１０ａ以外の部分、例えば、給電ライン１１０の一端１１０ｄ（チップアンテナ１０６との接続点）から平行部分１１０ａの一方の端点１１０ｂまでの部分は、鉤状に引かれており、また、平行部分１１０ａの他方の端点１１０ｃから給電ライン１１０の他端１１０ｅ（送信アンプ側の接続点）までの部分は、プリント基板１０２の長手方向に対し斜めに引かれた後、その長手方向に沿うように引かれている。
【００３８】
Ｃ．アンテナ特性の比較：
次に、図１に示す実施例のアンテナＡｆにおけるアンテナ特性を、図２に示す従来のアンテナＡにおけるアンテナ特性と、比較してみる。
【００３９】
まずは、インピーダンス特性について比較する。図３はアンテナのインピーダンス特性を図１の実施例のアンテナＡｆと図２の従来のアンテナＡとで比較して示した特性図である。図３において、（ａ）はリターンロスを示しており、（ｂ）はスミスチャートを示している。なお、図３において、「Ａｆ」は、図１の実施例のアンテナＡｆについての特性であることを示しており、「Ａ」は、図２の従来のアンテナＡについての特性であることを示している。
【００４０】
図３（ａ）に示すように、図２の従来のアンテナＡでは、周波数１．５７０ＧＨｚにおいて、リターンロス値が−１１．４ｄＢであるのに対し、図１の実施例のアンテナＡｆでは、それよりも低い周波数１．５３７ＧＨｚにおいて、リターンロス値が遙かに低い−２９．５ｄＢとなっており、よりインピーダンス整合がとれていることがわかる。
【００４１】
次に、放射指向性特性について比較する。図４はアンテナの放射指向性特性を図１の実施例のアンテナＡｆと図２の従来のアンテナＡとで比較して示した特性図である。図４において、（ａ）は図２の従来のアンテナＡにおける放射指向性特性を示しており、（ｂ）は図１の実施例のアンテナＡｆにおける放射指向性特性を示している。なお、図４において、上段はＸＹ面での放射指向性特性を示し、中段はＹＺ面での放射指向性特性を示し、下段はＺＸ面での放射指向性特性を示している。また、三角印は垂直偏波であり、四角印は水平偏波である。さらに、角度ステップは５度、角度範囲は０〜３６０度、利得ステップは１０ｄＢ、利得範囲は−４０〜１０ｄＢとしている。
【００４２】
Ｄ．変形例：
なお、本発明は上記した実施例や実施形態に限られるものではなく、その要旨を逸脱しない範囲において種々の態様にて実施することが可能である。
【００４３】
上記した実施例においては、給電ライン１１０の平行部分１１０ａは、チップアンテナ１０６の長手方向と平行になるように配置されており、しかも、実装領域１０８の外（すなわち、接地領域１０４に対応する表面の領域）に配置され、実装領域１０８の境界線（言い換えれば、接地領域１０４の境界線）に、平行部分１１０ａの側端（チップアンテナ１０６側の側端）が接するように配置されていた。しかしながら、本発明は、これに限定されるものではなく、以下のような平行部分１１０ａに関する各種パラメータを、所定の範囲内で変更するようにしてもよい。
【００４４】
１．平行部分１１０ａの側端（チップアンテナ１０６側の側端）と実装領域１０８の境界線との間の距離：ｇ
２．平行部分１１０ａのライン長：ｌ
３．平行部分１１０ａの平行度：ｄ
４．平行部分１１０ａのライン幅：ｗ
【００４５】
図５は平行部分１１０ａの側端と実装領域１０８の境界線との間の距離ｇを変更した場合の変形例としてのアンテナを示す平面図、図６は平行部分１１０ａのライン長ｌを変更した場合の変形例としてのアンテナを示す平面図、図７は平行部分１１０ａの平行度ｄを変更した場合の変形例としてのアンテナを示す平面図、図８は平行部分１１０ａのライン幅ｗを変更した場合の変形例としてのアンテナを示す平面図、である。
【００４６】
図１に示す実施例のアンテナＡｆでは、平行部分１１０ａの側端と実装領域１０８の境界線との間の距離ｇは０ｍｍであったが、図５（ａ）に示す変形例のアンテナＡｇ０では、上記距離ｇは１．８５ｍｍとなっており、図５（ｂ）に示す変形例のアンテナＡｇ１では、上記距離ｇは０．９２５ｍｍとなっており、図５（ｃ）に示す変形例のアンテナＡｇ２では、上記距離ｇは−０．９２５ｍｍとなっている。
【００４７】
また、図１に示す実施例のアンテナＡｆでは、平行部分１１０ａのライン長ｌは１５．８５ｍｍであったが、図６（ａ）に示す変形例のアンテナＡｌ０では、上記ライン長ｌは８ｍｍとなっており、図６（ｂ）に示す変形例のアンテナＡｌ１では、上記ライン長ｌは１１ｍｍとなっている。
【００４８】
また、図１に示す実施例のアンテナＡｆでは、平行部分１１０ａの平行度ｄは０゜であったが、図７（ａ）に示す変形例のアンテナＡｄ０では、上記平行度ｄは−５゜となっており、図７（ｂ）に示す変形例のアンテナＡｄ１では、上記平行度ｄは５゜となっており、図７（ｃ）に示す変形例のアンテナＡｄ２では、上記平行度ｄは−１５゜となっている。
【００４９】
さらに、図１に示す実施例のアンテナＡｆでは、平行部分１１０ａのライン幅ｗは１．８５ｍｍであったが、図８に示す変形例のアンテナＡｗ０では、上記ライン幅ｗは０．９２５ｍｍとなっている。
【００５０】
次に、図５〜図８に示す各変形例のアンテナにおけるアンテナ特性を、それぞれ、図１に示す実施例のアンテナＡｆにおけるアンテナ特性と、比較してみる。
【００５１】
また、図９はリターンロスの最小値を図１の実施例のアンテナＡｆと図５の各変形例のアンテナＡｇ０〜Ａｇ１とで比較して示した説明図、図１０は同じくリターンロスの最小値を図１の実施例のアンテナＡｆと図６の各変形例のアンテナＡｌ０，Ａｌ１とで比較して示した説明図、図１１は同じくリターンロスの最小値を図１の実施例のアンテナＡｆと図７の各変形例のアンテナＡｄ０〜Ａｄ２とで比較して示した説明図、図１２は同じくリターンロスの最小値を図１の実施例のアンテナＡｆと図８の変形例のアンテナＡｗ０とで比較して示した説明図である。
【００５２】
さらに、図１３はアンテナの共振周波数およびリターンロスの最小値を、図２の従来のアンテナＡと図１の実施例のアンテナＡｆと図５〜図８の各変形例のアンテナとで比較して示した説明図である。
【００５３】
以上の図から、各変形例について、次のことを導き出すことができる。
１．平行部分１１０ａの側端と実装領域１０８の境界線との間の距離ｇについて
平行部分１１０ａの側端を、実装領域１０８の境界線から離してチップアンテナ１０６側に近づけると、平行部分１１０ａは、アンテナエレメントの一部として働くと考えられる。そのため、平行部分１１０ａの分だけ、アンテナの通信波長が長くなり、共振周波数が下がる傾向にある。しかし、アンテナエレメントであるチップアンテナ１０６に流れる電流を打ち消す方向となるため、反射が大きくなり、利得も低下する傾向にある。
反対に、平行部分１１０ａの側端を、実装領域１０８の境界線からチップアンテナ１０６側とは反対側に離すと、共振周波数への影響が弱まり、インピーダンスが下がって、インピーダンス不整合が大きくなり、反射が大きくなる傾向にある。
【００５４】
２．平行部分１１０ａのライン長ｌについて
平行部分１１０ａは、給電ラインの役割と共にアンテナの放射体の役割も果たしていると考えられる。従って、平行部分１１０ａのライン長を短くすると、それに伴い、若干、共振周波数も上がる傾向にある。また、平行部分１１０ａのライン長を短くすることで、インピーダンスの整合する範囲が小さくなることにより、反射も大きくなる。
【００５５】
３．平行部分１１０ａの平行度ｄについて
図７（ａ）に示す変形例のアンテナＡｄ０では、平行度ｄが−５゜で、平行部分１１０ａの一端がアンテナエレメントであるチップアンテナ１０６の先端部に接近するため、平行部分１１０ａの他端（チップアンテナ１０６の給電部側）がチップアンテナ１０６とは反対側に離れていても、平行部分１１０ａは、アンテナの放射体としての役割が強くなり、共振周波数が下がる。反射は大きくなるが、平行部分１１０ａにおいて、チップアンテナ１０６の先端部に接近する部分をコントロールすることにより、アンテナの小型化、低損失化が期待される。
なお、図７（ｂ）、（ｃ）に示す変形例のアンテナＡｄ１，Ａｄ２は、図６に示す変形例のアンテナＡｌ０，Ａｌ１と同様な傾向にある。
【００５６】
４．平行部分１１０ａのライン幅ｗについて
平行部分１１０ａのライン幅を１／２にすることにより、インピーダンスが急に上昇したためと考えられるが、ライン幅ｗと、平行部分１１０ａの側端と実装領域１０８の境界線との間の距離ｇと、を最適化することにより、アンテナ成分を抑えた給電ラインの整合が可能と考えられる。
【００５７】
以上のように、これら変形例を踏まえた上で、平行部分１１０ａに関する各種パラメータの変更許容範囲としては、次の範囲が好ましいと考えられる。
【００５８】
１．平行部分１１０ａの側端と実装領域１０８の境界線との間の距離：ｇ
−１ｍｍ≦ｇ≦２ｍｍ
２．平行部分１１０ａのライン長：ｌ
８ｍｍ≦ｌ≦１６ｍｍ
３．平行部分１１０ａの平行度：ｄ
−５゜≦ｄ≦１５゜
４．平行部分１１０ａのライン幅：ｗ
１ｍｍ≦ｇ≦２ｍｍ
【００５９】
ところで、以上説明した各寸法は、それぞれ、実寸値であったが、波長への換算値は、次のようにして求められる。すなわち、図１に示す実施例のアンテナＡｆにおける共振周波数は１５３７ＭＨｚであるため、この値から、波長λは、λ＝３００／１．５３７＝１９５．１８５ｍｍとして求められる。
【００６０】
よって、各実寸値に対する波長換算値は次のごとくになる。
８９ｍｍ  →  ０．４５５９７６６６７λ
４４ｍｍ  →  ０．２２５４２６６６７λ
３８．４ｍｍ  →  ０．１９６７３６λ
１６．８５ｍｍ  →  ０．０８６３２８１６７λ
１５．８５ｍｍ  →  ０．０８１２０４８３３λ
１４．８５ｍｍ  →  ０．０７６０８１５λ
１１ｍｍ  →  ０．０５６３５６６６７λ
８．４ｍｍ  →  ０．０４３０３６λ
８ｍｍ  →  ０．０４０９８６６６７λ
７．９２５ｍｍ  →  ０．０４０６０２４１７λ
１．８５ｍｍ  →  ０．００９４７８１６７λ
０．９２５ｍｍ  →  ０．００４７３９０８３λ
【００６１】
また、上記した実施例においては、給電ライン１１０のうち、平行部分１１０ａ以外の部分であって、平行部分１１０ａの他方の端点１１０ｃから給電ライン１１０の他端１１０ｅ（送信アンプ側の接続点）までの部分は、プリント基板１０２の長手方向に対し斜めに引かれた後、その長手方向に沿うように引かれていた。しかし、本発明は、このような折れ線状に限定されるものではなく、どのように引かれてもよい。例えば、直線状に引かれてもよく、曲線状に引かれてもよく、あるいは、プリント基板１０２の縁に沿って引かれてもよい。
【００６２】
また、上記した実施例においては、アンテナエレメントとしてチップアンテナ１０６を用いていたが、本発明はチップアンテナに限定されるものではなく、プリント基板１０２，１５２の表面に、アンテナエレメントとして、線状素子のアンテナパターンを直接形成するようにしてもよい。
【００６３】
また、上記した実施例においては、アンテナエレメントであるチップアンテナ１０６を、その長手方向がプリント基板１０２，１５２の長手方向に直交するように、横向きに配置していたが、本発明は、これに限定されるものではなく、チップアンテナを、その長手方向がプリント基板の長手方向と一致するように、縦向きに配置するようにしてもよい。その場合、給電ラインの平行部分も、チップアンテナの長手方向にほぼ平行となるように、プリント基板の長手方向に沿って配置するようにする。
【００６４】
また、上記した実施例では、プリント基板１０２，１５２はガラスエポキシから成り、チップアンテナ１０６はアルミナから成るものとして説明したが、本発明はこれら材料に限定されるものではなく、他の誘電体材料であってもよい。
【００６５】
さらに上記した実施例では、アンテナを携帯電話などに用いるものとして説明したが、ＧＰＳ、無線ＬＡＮ、ブルートゥースにおける無線通信機器などに用いるようにしてもよい。
【図面の簡単な説明】
【００６６】
【図１】本発明の第１の実施例としてのアンテナを示す平面図である。
【図２】図１の実施例に対する比較例としての従来のアンテナを示す平面図である。
【図３】アンテナのインピーダンス特性を図１の実施例のアンテナＡｆと図２の従来のアンテナＡとで比較して示した特性図である。
【図４】アンテナの放射指向性特性を図１の実施例のアンテナＡｆと図２の従来のアンテナＡとで比較して示した特性図である。
【図５】平行部分１１０ａの側端と実装領域１０８の境界線との間の距離ｇを変更した場合の変形例としてのアンテナを示す平面図である。
【図６】平行部分１１０ａのライン長ｌを変更した場合の変形例としてのアンテナを示す平面図である。
【図７】平行部分１１０ａの平行度ｄを変更した場合の変形例としてのアンテナを示す平面図である。
【図８】平行部分１１０ａのライン幅ｗを変更した場合の変形例としてのアンテナを示す平面図である。
【図９】リターンロスの最小値を図１の実施例のアンテナＡｆと図５の各変形例のアンテナＡｇ０〜Ａｇ１とで比較して示した説明図である。
【図１０】リターンロスの最小値を図１の実施例のアンテナＡｆと図６の各変形例のアンテナＡｌ０，Ａｌ１とで比較して示した説明図である。
【図１１】リターンロスの最小値を図１の実施例のアンテナＡｆと図７の各変形例のアンテナＡｄ０〜Ａｄ２とで比較して示した説明図である。
【図１２】リターンロスの最小値を図１の実施例のアンテナＡｆと図８の変形例のアンテナＡｗ０とで比較して示した説明図である。
【図１３】アンテナの共振周波数およびリターンロスの最小値を、図２の従来のアンテナＡと図１の実施例のアンテナＡｆと図５〜図８の各変形例のアンテナとで比較して示した説明図である。
【図１４】従来のアンテナを示す平面図である。
【符号の説明】
【００６７】
２...プリント基板
４...接地領域
６...チップアンテナ
８...実装領域
１０...給電ライン
１０２...プリント基板
１０４...接地領域
１０６...チップアンテナ
１０８...実装領域
１１０...給電ライン
１１０ａ...平行部分
１１２...パッド
１５２...プリント基板
【図１】
2005079769.tif 000003
【図２】
2005079769.tif 000004
【図３】
2005079769.tif 000005
【図４】
2005079769.tif 000006
【図５】
2005079769.tif 000007
【図６】
2005079769.tif 000008
【図７】
2005079769.tif 000009
【図８】
2005079769.tif 000010
【図９】
2005079769.tif 000011
【図１０】
2005079769.tif 000012
【図１１】
2005079769.tif 000013
【図１２】
2005079769.tif 000014
【図１３】
2005079769.tif 000015
【図１４】
2005079769.tif 000016